Podtech/llm-jp-corpus-v4-ja_patent huggingface dataset:
【手続補正書】
【提出日】平成20年4月2日(2008.4.2)
【手続補正１】
【補正対象書類名】明細書
【補正対象項目名】００５２
【補正方法】変更
【補正の内容】
【００５２】
（付記項９）
前記ＬＥＤもしくはＬＤは、前記ＲＧＢ光を発光させるために、補色を有するＬＥＤもしくはＬＤが用いられていることを特徴とする付記項６ないし付記項８のいずれか１に記載の内視鏡。
【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
被検体内の所定部位を少なくとも含むデータ収集範囲に対して超音波を送信し、前記データ収集範囲からのエコー信号を受信する超音波送受信手段と、
穿刺術に関する進行状況を把握可能な情報に基づいて、前記データ収集範囲を制御する制御手段と、
前記超音波走査範囲から得られるエコー信号を用いて、超音波画像を生成する画像生成手段と、
前記超音波画像を表示する表示手段と、
を具備することを特徴とする超音波診断装置。
【請求項２】
前記制御手段は、前記超音波画像が所定のフレームレートで表示されるように、前記前記データ収集範囲を制御することを特徴とする請求項１記載の超音波診断装置。
【請求項３】
前記制御手段は、前記穿刺術に関する進行状況を把握可能な情報に基づいて、前記データ収集範囲のうち画像生成の対象とする範囲を制御することを特徴とする請求項１記載の超音波診断装置。
【請求項４】
前記制御手段は、前記超音波画像が所定のフレームレートで表示されるように、前記前記画像生成の対象とする範囲を制御することを特徴とする請求項３記載の超音波診断装置。
【請求項５】
前記制御手段は、前記穿刺術に関する進行状況を把握可能な情報に基づいて、前記超音波送信及び前記超音波受信の繰り返し周期、及び前記超音波画像の表示範囲の少なくとも一方を制御することを特徴とする請求項１乃至４のうちいずれか一項記載の超音波診断装置。
【請求項６】
前記穿刺術に関する進行状況を把握可能な情報は、穿刺針と前記所定部位との相対的な位置関係、穿刺針の刺入長、穿刺針の刺入角度、穿刺術に関するワークフローのうちのいずれかであることを特徴とする請求項１乃至５のうちいずれか一項記載の超音波診断装置。
【請求項７】
超音波診断装置に内蔵されるコンピュータに、
被検体内の所定部位を少なくとも含むデータ収集範囲に対して超音波を送信させ、前記データ収集範囲からのエコー信号を受信させる超音波送受信機能と、
穿刺術に関する進行状況を把握可能な情報に基づいて、前記データ収集範囲を制御させる制御機能と、
前記超音波走査範囲から得られるエコー信号を用いて、超音波画像を生成させる画像生成機能と、
前記超音波画像を表示させる表示機能と、
を実現させることを特徴とする超音波診断装置制御プログラム。
【手続補正２】
【補正対象書類名】明細書
【補正対象項目名】０００９
【補正方法】変更
【補正の内容】
【０００９】
請求項１に記載の発明は、被検体内の所定部位を少なくとも含むデータ収集範囲に対して超音波を送信し、前記データ収集範囲からのエコー信号を受信する超音波送受信手段と、穿刺術に関する進行状況を把握可能な情報に基づいて、前記データ収集範囲を制御する制御手段と、前記超音波走査範囲から得られるエコー信号を用いて、超音波画像を生成する画像生成手段と、前記超音波画像を表示する表示手段と、を具備することを特徴とする超音波診断装置である。
請求項７に記載の発明は、超音波診断装置に内蔵されるコンピュータに、被検体内の所定部位を少なくとも含むデータ収集範囲に対して超音波を送信させ、前記データ収集範囲からのエコー信号を受信させる超音波送受信機能と、穿刺術に関する進行状況を把握可能な情報に基づいて、前記データ収集範囲を制御させる制御機能と、前記超音波走査範囲から得られるエコー信号を用いて、超音波画像を生成させる画像生成機能と、前記超音波画像を表示させる表示機能と、を実現させることを特徴とする超音波診断装置制御プログラムである。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
手元側の操作部から体腔内に挿入される可撓性の挿入部が延設され、前記挿入部の先端
部分に結石を取り込むバスケット部を有し、前記バスケット部を前記操作部の操作に応じ
て前記挿入部に突没自在な結石破砕装置において、
前記挿入部は、密巻きされたコイルシースを有し、前記挿入部の先端部分に曲がり癖が付けられていることを特徴とする結石破砕装置。
【請求項２】
曲がり癖が付けられた先端部分では、前記コイルシースの柔軟性が前記コイルシースの
前記操作部側の基端部に比べて相対的に高いことを特徴とする請求項１に記載の結石破砕装置。
【手続補正２】
【補正対象書類名】明細書
【補正対象項目名】０００５
【補正方法】変更
【補正の内容】
【０００５】
上記の課題を解決する本発明の請求項１に係る発明は、手元側の操作部から体腔内に挿入される可撓性の挿入部が延設され、前記挿入部の先端部分に結石を取り込むバスケット部を有し、前記バスケット部を前記操作部の操作に応じて前記挿入部に突没自在な結石破砕装置において、前記挿入部は、密巻きされたコイルシースを有し、前記挿入部の先端部分に曲がり癖が付けられていることを特徴とする結石破砕装置とした。
この結石破砕装置では、挿入部の先端部分が自然状態で湾曲した形状になっている。例えば、内視鏡の側方に挿入部を突出させて小径の管腔に挿入する場合には、挿入部の先端部が管腔の入り口に向かうように湾曲することになる。また、挿入部の先端部分が湾曲しているので、管腔の入り口の周縁に対して斜めにアプローチできるようになる。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
請求項２に係る発明は、請求項１に記載の結石破砕装置において、曲がり癖が付けられた先端部分では、前記コイルシースの柔軟性が前記コイルシースの前記操作部側の基端部に比べて相対的に高いことを特徴とする。この結石破砕装置では、管腔などに挿入される先端部分の柔軟性が高くなっている。
【手続補正６】
【補正対象書類名】明細書
【補正対象項目名】０００９
【補正方法】変更
【補正の内容】
【０００９】
本発明によれば、挿入部の先端部分に曲がり癖を付けたので、管腔などの小径の処置対
象部位へのアプローチが容易になり、挿入から結石の破砕までの手技を効率良く行うこと
が可能になる。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
複数の刃部材(７)を具備してなるかみそりヘッドであって、前記刃部材(７)は、その間
を廃物が通過するのを可能とするため離間されており、各刃部材(７)は真っ直ぐなフロン
ト切断エッジ(８)およびリアエッジ(９)を有し、前記切断エッジ(８)は切断平面(１２)内
に存在し、各刃部材(７)は、前記切断平面(１２)の方を向く外面(１３)および反対側の内
面(１４)を、前記外面および内面(１３,１４)間の中間の仮想中央面(１６)と共に有し、
前記刃部材(７)の前記中央面(１６)は、前記切断エッジ(８)から前記リアエッジ(９)に向
って、前記切断平面(１２)から離れるよう同じ方向に連続的に湾曲していることを特徴と
するかみそりヘッド。
【請求項２】
各中央面(１６)は、筒体、好ましくは円筒体のセグメントであり、前記セグメント角度
(β)は好ましくは６０°から７５°までの範囲にある請求項１に記載のかみそりヘッド。
【請求項３】
前記刃部材(７)のリアエッジ(９)間の間隔は、前記切断エッジ(８)間の間隔と少なくと
も同じ大きさである請求項１または請求項２に記載のかみそりヘッド。
【請求項４】
かみそりヘッド(２)は開口部を形成するフレームを構成し、前記開口部を経て前記切断
エッジ(８)は接触可能である請求項１ないし請求項３のいずれか１項に記載のかみそりヘッド。
【請求項５】
第１のヘッド部品(１７)および第２のヘッド部品(１８)をさらに具備し、両者の間に前
記刃部材(７)が保持され、前記第１および第２のヘッド部品(１７,１８)は好ましくは、
湾曲した刃端サポート(１９,２１)を有し、この湾曲した刃端サポート(１９,２１)は、そ
の間に前記刃部材(７)の個々の端部をクランプする請求項１ないし請求項４のいずれか１項に記載のかみそりヘッド。
【請求項６】
前記第１のヘッド部品(１７)は開口部(２２)を形成するフレームを構成し、この開口部
(２２)を経て前記切断エッジ(８)は接触可能であり、前記フレームは、それに向って前記
切断エッジ(８)が方向付けられた案内要素(２３)と、この案内要素の反対側にある追従要
素(２６)と、側方要素(３１)とを具備する請求項５に記載のかみそりヘッド。
【請求項７】
前記要素(２３,２６,３１)に接する平面(３２)は、前記刃部材(７)に関する前記切断平
面(１２)を越えて存在する請求項６に記載のかみそりヘッド。
【請求項８】
前記案内および追従要素(２２,２３)の少なくとも一つは長手方向溝(２７,２８)を具備
し、前記追従要素(２３)は好ましくは長手方向溝(２８)、およびこの溝(２８)と前記第１
のヘッド部品(１７)の前記フレームによって形成された前記開口部(２２)との間を連絡す
るダクト(２９)を有する請求項６または請求項７に記載のかみそりヘッド。
【請求項９】
前記第２のヘッド部品(１８)は、前記刃部材(７)を支えるフレキシブル刃サポート(３
９)を保持する請求項５ないし請求項８のいずれか１項に記載のかみそりヘッド。
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
カメラと、前記カメラを回転させる回転部と、前記回転部を回転自在に支持する固定部と、前記回転部と前記固定部の間に配された光回転結合器とからなる撮像装置において、
前記光回転結合器は、互いに異なる波長を発光する発光素子と前記発光素子に対応する受光素子の複数の組み合せを有することを特徴とする撮像装置。
【請求項２】
前記発光素子は、円偏光の旋回方向が互いに異なる円偏光フィルタを備え、前記受光素子は、当該受光素子に対応する発光素子の円偏光フィルタと同じ旋回方向の円偏光フィルタを備えることを特徴とする請求項１に記載の撮像装置。
【請求項３】
前記発光素子に拡散シート又はプリズムシートからなる光束制御板を設けたことを特徴とする請求項１又は２に記載の撮像装置。
【手続補正２】
【補正対象書類名】明細書
【補正対象項目名】００１４
【補正方法】変更
【補正の内容】
【００１４】
上記目的を達成するために、請求項１記載の撮像装置は、カメラと、前記カメラを回転させる回転部と、前記回転部を回転自在に支持する固定部と、前記回転部と前記固定部の間に配された光回転結合器とからなる撮像装置において、前記光回転結合器は、互いに異なる波長を発光する発光素子と前記発光素子に対応する受光素子の複数の組み合せを有することを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
本発明によれば、光回転結合器は、互いに異なる波長を発光する発光素子と発光素子に対応する受光素子の複数の組み合せを有するので、複雑な光学系を用いることなく、非接触で多チャンネルの信号伝達を行うことができる。
【手続補正５】
【補正対象書類名】明細書
【補正対象項目名】００１７
【補正方法】削除
【補正の内容】
【手続補正書】
【提出日】平成20年1月25日(2008.1.25)
【手続補正１】
【補正対象書類名】明細書
【補正対象項目名】０１５９
【補正方法】変更
【補正の内容】
【０１５９】
（実験例８）
実験例１と同様にして、表８に示すようにアルミニウム粉末の混合割合を同じにし、焼成温度を変えて、実施例８、実施例３と比較例４４、比較例４５の発熱体の各試料を作製した。ただし、各試料は直径１８０ｍｍ、厚み５ｍｍの円板形状に成形した。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
表示部に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が前記特別遊技状態当選の場合には、前記絵柄が特定絵柄の組合せで停止するよう前記絵柄表示装置を表示制御する表示制御手段と、
前記抽選手段の抽選結果が前記特別遊技状態当選であって、前記絵柄の変動表示が終了した場合に、遊技状態を前記特別遊技状態に移行させる特別遊技状態移行手段と
を備えた遊技機において、
遊技領域に設けられると共に、遊技球が入球し易い開放状態と入球し難い閉鎖状態とに切り換え可能な複数の可変入球装置と、
可変入球装置のいずれかに遊技球が入球した場合、該可変入球装置に応じて異なる特典を遊技者に付与する特典付与手段と、
遊技状態が前記特別遊技状態である場合、前記各可変入球装置のうち前記閉鎖状態から前記開放状態に切り換えるべき可変入球装置を設定する設定手段と、
該設定手段の設定結果に基づいて、対応する可変入球装置を開放状態とした後に閉鎖状態に切り換える開閉制御を行うと共に、前記各可変入球装置の開閉回数の合計が特定の複数回数となるまで前記開閉制御を行う開閉制御手段と
を備えたことを特徴とする遊技機。
【請求項２】
前記特別遊技状態移行手段が遊技状態を前記特別遊技状態に移行させる前までに、該特別遊技状態下における前記各可変入球装置の開閉回数を導出し得る開閉態様を決定する開閉態様決定手段を備え、
前記設定手段は、前記開閉態様決定手段の決定した開閉態様に基づいて前記各可変入球装置のいずれかを設定することを特徴とする請求項１に記載の遊技機。
【請求項３】
前記開閉制御手段が前記特別遊技状態下で初回の開閉制御を行う前までに、該特別遊技状態下における前記各可変入球装置の開閉回数を導出し得る開閉態様を決定する開閉態様決定手段を備え、
前記設定手段は、前記開閉態様決定手段の決定した開閉態様に基づいて前記各可変入球装置のいずれかを設定することを特徴とする請求項１に記載の遊技機。
【請求項４】
前記各開閉制御時に開閉制御されるべき可変入球装置を定めた制御パターンを予め複数記憶する制御パターン記憶手段を備え、
前記開閉態様決定手段は、前記複数の制御パターンから１の制御パターンを前記開閉態様として選択することを特徴とする請求項２又は３に記載の遊技機。
【請求項５】
前記開閉態様決定手段の決定した開閉態様を表示する手段を非具備とすることを特徴とする請求項２乃至４のいずれか１に記載の遊技機。
【手続補正書】
【提出日】平成20年4月23日(2008.4.23)
【手続補正１】
【補正対象書類名】特許請求の範囲
【補正対象項目名】全文
【補正方法】変更
【補正の内容】
【特許請求の範囲】
【請求項１】
静磁場を発生する手段と、被検体を載置して前記静磁場内を移動させる移動手段と、前記被検体を前記静磁場内で移動させて、その体動をモニターするため、及び、その画像を再構成するためのエコー信号をそれぞれ取得する計測制御手段と、を備えた磁気共鳴撮影装置において、
前記計測制御手段は、少なくとも一部の移動区間において、前記被検体の体動をモニターするためのエコー信号を、該被検体上の同じ位置から取得することを特徴とする磁気共鳴撮影装置。
【請求項２】
請求項１記載の磁気共鳴撮影装置において、
前記計測制御手段は、前記被検体を複数の領域に分割して、領域間をステップ移動させると共に、少なくとも２つの領域において、前記被検体上の同じ位置から前記体動モニター用エコー信号を取得することを特徴とする磁気共鳴撮影装置。
【請求項３】
請求項１記載の磁気共鳴撮影装置において、
前記計測制御手段は、前記被検体を連続して移動させる共に、少なくとも一部の移動区間において、前記被検体上の同じ位置から前記体動モニター用エコー信号を取得することを特徴とする磁気共鳴撮影装置。
【請求項４】
請求項１記載の磁気共鳴撮影装置において、
前記体動が所望の範囲のときに取得されたエコー信号のみを選別して前記被検体の画像を再構成する信号処理手段を備え、
前記信号処理手段は、前記体動の大小に対応して、前記範囲の狭広を制御することを特徴とする磁気共鳴撮影装置。
【請求項５】
請求項４記載の磁気共鳴撮影装置において、
前記信号処理手段は、前記体動が小さい部位の撮影の際には前記範囲を広くし、前記体動が大きい部位の撮影の際には前記範囲を狭くすることを特徴とする磁気共鳴撮影装置。
【請求項６】
静磁場を発生する手段と、前記静磁場内に配置された被検体から、その体動をモニターするため、及び、その画像を再構成するためのエコー信号をそれぞれ取得する計測制御手段と、前記体動が所望の範囲のときに取得されたエコー信号のみを選別して前記被検体の画像を再構成する信号処理手段と、を備えた磁気共鳴撮影装置において、
前記信号処理手段は、前記体動の大小に対応して、前記範囲の狭広を制御することを特徴とする磁気共鳴撮影装置。
【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
遊技盤と、
この遊技盤の遊技領域に設けられており、前記遊技領域を流下する遊技球を受入れるための開口部が設けられたハウジングと、
前記遊技領域内に開口しており、前記開口部から前記ハウジングの内部に受入れられた遊技球を前記遊技領域へ排出する排出口と、
この排出口の直下に設けられており、前記開口部に受入れられないで前記遊技領域を流下した遊技球（以下、流下球という）および前記排出口から排出された遊技球（以下、排出球という）が共に通過可能な特定領域と、
前記排出球が前記特定領域へ流下可能な排出球流下経路と、
前記流下球が前記特定領域へ流下可能な流下経路であって前記排出球流下経路と一部が共通する流下球流下経路と、
この流下球流下経路のうち、前記排出球流下経路と共通しない所定の領域に存在することにより、前記流下球が前記所定の領域を通過して前記特定領域へ流下することを阻止し、かつ、前記所定の領域に存在しないことにより、前記流下球が前記所定の領域を通過して前記特定領域へ流下することを許容する阻止部材と、
前記排出球が前記排出球流下経路を流下している所定期間は、前記阻止部材をその少なくとも一部が前記所定の領域に存在する第１の形態に変化させ、前記所定期間の経過後は、前記少なくとも一部が前記所定の領域から退避した第２の形態に変化させる変化手段と、
を備えたことを特徴とするパチンコ機。
【誤訳訂正書】
【提出日】平成20年2月29日(2008.2.29)
【誤訳訂正１】
【訂正対象書類名】明細書
【訂正対象項目名】００４５
【訂正方法】変更
【訂正の内容】
【００４５】
【表１】
2006314143.tif 000001
【誤訳訂正２】
【訂正対象書類名】明細書
【訂正対象項目名】００４６
【訂正方法】変更
【訂正の内容】
【００４６】
順方向リンクおよび逆方向リンクは互いに別々に制御される。処理中の呼／接続については、順方向リンクトラフィックチャネル（ＴＲＣＨ）ＡＰＣおよびオーダワイヤ（ＯＷ）電力は逆方向ＡＰＣチャネル経由で送信されてきたＡＰＣビット群によって制御される。呼／接続確立処理中は、逆方向リンクアクセスチャネル（ＡＸＣＨ）電力は順方向ＡＰＣチャネル経由で送信されてきたＡＰＣビット群によって制御される。表１は制御対象のチャネルのための特定の電力制御方法を要約したものである。
【誤訳訂正３】
【訂正対象書類名】明細書
【訂正対象項目名】００４７
【訂正方法】変更
【訂正の内容】
【００４７】
いずれかの特定のＳＵのための割当てチャネルＴＲＣＨ、ＡＰＣおよびＯＷならびに逆方向割当てパイロット信号の所要ＳＩＲは、互いに比例させて固定される。これらのチャネルはほとんど同一のフェーディングの影響を受け、したがって同時並行的に電力制御される。
[順方向電力自動制御]
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
先端にカッターが連結され他端に従動側連結部を有する従動軸が回転自在に装着される刈払機本体と、前記刈払機本体に着脱自在に装着され前記カッターを正逆両方向に駆動する電動モータとを有し、
エンジンの出力軸に設けられ前記従動側連結部に連結される駆動側連結部が組み込まれたエンジン出力側ジョイントと、前記電動モータの出力軸に設けられ前記従動側連結部に連結される駆動側連結部が組み込まれたモータ側ジョイントとのいずれもが選択的に着脱自在に装着される従動側ジョイントを前記刈払機本体に設け、
前記刈払機本体に前記電動モータが装着された状態のもとで前記電動モータにより駆動されている前記カッターがロックしたときに、前記カッターを逆転させるロック解除スイッチを前記刈払機本体に着脱自在に装着することを特徴とする刈払機。
【請求項２】
請求項１記載の刈払機において、長手方向中央部に作業者により把持されるハンドルが設けられ前記従動軸が挿入される中空棒状の操作アームにより前記刈払機本体を形成することを特徴とする刈払機。
【請求項３】
請求項２記載の刈払機において、前記ロック解除スイッチをケーブルを介して前記電動モータに接続するとともに前記ハンドルに着脱自在に装着されるホルダに設けることを特徴とする刈払機。
【請求項４】
従動軸を内部に備える操作アームからなる刈払機本体と、
前記操作アームの先端部に着脱自在に連結されるカッターと、
前記操作アームの後端部に取り付けられる電動モータと、
前記刈払機本体に取り付けられ、前記電動モータの正転におけるモータ回転数を制御することにより、前記カッターの正転における回転数を調整する調整手段と、
前記刈払機本体に取り付けられ、前記電動モータのモータ回転方向を逆転させる操作手段とを備え、
前記操作手段を操作することにより、前記電動モータが前記前記従動軸を介して前記カッターを逆転させることを特徴とする刈払機。
【請求項５】
請求項４記載の刈払機において、前記操作アームには作業者が把持するハンドルが設けられ、前記調整手段および前記操作手段は、前記ハンドルに取り付けられていることを特徴とする刈払機。
【請求項６】
請求項４または５記載の刈払機において、前記操作手段を操作すると、所定回転だけ前記電動モータのモータ回転数を逆転させることを特徴とする刈払機。
【請求項７】
請求項４または５記載の刈払機において、前記操作手段を操作すると、所定時間だけ前記電動モータのモータ回転数を逆転させることを特徴とする刈払機。
【手続補正２】
【補正対象書類名】明細書
【補正対象項目名】０００８
【補正方法】変更
【補正の内容】
【０００８】
本発明の目的は、刈払機をその使用環境に応じてエンジンと電動モータのいずれをも動力源として駆動し得るようにすることにある。
本発明の目的は、電動モータにより駆動している際にカッターが刈葉等によりロックしたときに容易にロックを解除し得るようにすることにある。
【手続補正３】
【補正対象書類名】明細書
【補正対象項目名】００１１
【補正方法】変更
【補正の内容】
【００１１】
本発明の刈払機は、前記ロック解除スイッチをケーブルを介して前記電動モータに接続するとともに前記ハンドルに着脱自在に装着されるホルダに設けることを特徴とする。
本発明の刈払機は、従動軸を内部に備える操作アームからなる刈払機本体と、前記操作アームの先端部に着脱自在に連結されるカッターと、前記操作アームの後端部に取り付けられる電動モータと、前記刈払機本体に取り付けられ、前記電動モータの正転におけるモータ回転数を制御することにより、前記カッターの正転における回転数を調整する調整手段と、前記刈払機本体に取り付けられ、前記電動モータのモータ回転方向を逆転させる操作手段とを備え、前記操作手段を操作することにより、前記電動モータが前記前記従動軸を介して前記カッターを逆転させることを特徴とする。本発明の刈払機は、前記操作アームには作業者が把持するハンドルが設けられ、前記調整手段および前記操作手段は、前記ハンドルに取り付けられていることを特徴とする。本発明の刈払機は、前記操作手段を操作すると、所定回転だけ前記電動モータのモータ回転数を逆転させることを特徴とする。さらに、本発明の刈払機は、前記操作手段を操作すると、所定時間だけ前記電動モータのモータ回転数を逆転させることを特徴とする。
【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
両刃式の切刃が形成されたカッターが先端に着脱自在に連結され他端に従動側連結部を有する従動軸が回転自在に装着される刈払機本体と、前記刈払機本体に着脱自在に装着され前記カッターを正逆両方向に駆動する電動モータとを有し、
エンジンの出力軸に設けられ前記従動側連結部に連結される駆動側連結部が組み込まれたエンジン出力側ジョイントと、前記電動モータの出力軸に設けられ前記従動側連結部に連結される駆動側連結部が組み込まれたモータ側ジョイントとのいずれもが選択的に着脱自在に装着される従動側ジョイントを前記刈払機本体に設け、
前記刈払機本体に前記電動モータが装着された状態のもとで前記電動モータにより駆動される前記カッターを正転方向と逆転方向とに切り替える切替えスイッチを前記刈払機本体に着脱自在に装着することを特徴とする刈払機。
【請求項２】
請求項１記載の刈払機において、長手方向中央部に作業者により把持されるハンドルが設けられ前記従動軸が挿入される中空棒状の操作アームにより前記刈払機本体を形成することを特徴とする刈払機。
【請求項３】
請求項２記載の刈払機において、前記切替えスイッチをケーブルを介して前記電動モータに接続するとともに前記ハンドルに着脱自在に装着されるホルダに設けることを特徴とする刈払機。
【請求項４】
従動軸を内部に備える操作アームからなる刈払機本体と、
前記操作アームの先端部に着脱自在に連結されるカッターと、
前記操作アームの後端部に取り付けられる電動モータと、
前記刈払機本体に取り付けられ、前記電動モータのモータ回転数を制御することにより前記カッターの回転数を調整する調整手段と、
前記刈払機本体に取り付けられ、前記電動モータのモータ回転方向を正転と逆転とに切り替える切り替えスイッチとを備え、
前記切り替えスイッチにより前記電動モータのモータ回転方向を任意に選択し、前記調整手段を操作することにより前記電動モータが前記従動軸を介して前記カッターを任意の方向に駆動することを特徴とする刈払機。
【請求項５】
請求項４記載の刈払機において、前記操作アームには作業者が把持するハンドルが設けられ、前記調整手段および前記切り替えスイッチは、前記ハンドルに取り付けられていることを特徴とする刈払機。
【手続補正２】
【補正対象書類名】明細書
【補正対象項目名】０００７
【補正方法】変更
【補正の内容】
【０００７】
本発明の目的は、使用環境に応じてエンジンと電動モータのいずれをも動力源として駆動し得るようにすることにある。
本発明の目的は、電動モータにより駆動する際には作業者の左右いずれの方向にも刈葉を吹き飛ばし得るようにすることにある。
【手続補正３】
【補正対象書類名】明細書
【補正対象項目名】００１０
【補正方法】変更
【補正の内容】
【００１０】
本発明の刈払機は、前記切替えスイッチをケーブルを介して前記電動モータに接続するとともに前記ハンドルに着脱自在に装着されるホルダに設けることを特徴とする。
本発明の刈払機は、従動軸を内部に備える操作アームからなる刈払機本体と、前記操作アームの先端部に着脱自在に連結されるカッターと、前記操作アームの後端部に取り付けられる電動モータと、前記刈払機本体に取り付けられ、前記電動モータのモータ回転数を制御することにより前記カッターの回転数を調整する調整手段と、前記刈払機本体に取り付けられ、前記電動モータのモータ回転方向を正転と逆転とに切り替える切り替えスイッチとを備え、前記切り替えスイッチにより前記電動モータのモータ回転方向を任意に選択し、前記調整手段を操作することにより前記電動モータが前記従動軸を介して前記カッターを任意の方向に駆動することを特徴とする。本発明の刈払機は、前記操作アームには作業者が把持するハンドルが設けられ、前記調整手段および前記切り替えスイッチは、前記ハンドルに取り付けられていることを特徴とする。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
水に、少なくとも、にんにく及び／又はにらを加えた混合物に、所定時間、エアレーションを行った後、この混合物を濾過した、濾過液。
【請求項２】
水に、少なくとも、キノコ類を加えた混合物に、所定時間、エアレーションを行った後、この混合物を濾過した、濾過液。
【請求項３】
水に、少なくとも、唐辛子を加えた混合物に、所定時間、エアレーションを行った後、この混合物を濾過した、濾過液。
【請求項４】
請求項１〜３の濾過液を混合した混合液。
【請求項５】
請求項４に記載の混合液を主たる成分とする、肉体疲労、精神疲労及びアレルギー疾患改善剤。
【請求項６】
請求項４に記載の混合液を主たる成分とする、体脂肪減少剤。
【手続補正２】
【補正対象書類名】明細書
【補正対象項目名】００２０
【補正方法】変更
【補正の内容】
【００２０】
請求項４に記載の混合液は、請求項１〜３の濾過液を混合した。
請求項５に記載の肉体疲労、精神疲労及びアレルギー疾患改善剤は、請求項４に記載の混合液を主たる成分とする。
請求項６に記載の体脂肪減少剤は、請求項４に記載の混合液を主たる成分とする。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
リムーバブルメモリに格納された写真画像データと、
前記写真画像データに応じた写真画像と、自由描画領域を示す領域表記と、前記自由描画領域に配置された文字又は画像と、を１ページの用紙に印刷部に印刷させる印刷制御手段と、
前記自由描画領域にユーザにより記録された手書き文字又は前記自由描画領域に配置された文字並びに画像からなる対象物が記録された用紙を撮像部に読み取らせる読み取り制御手段と、
前記撮像部に読み取られた前記自由描画領域から、対象物の領域を抽出する領域抽出手段と、
前記写真画像データに応じた写真画像と、前記領域抽出手段により抽出された対象物と、を合成する合成手段と、
を備えることを特徴とする画像処理システム。
【請求項２】
前記印刷制御手段は、さらに基準マークを１ページの用紙に印刷部に印刷させ、
前記読み取り制御手段は、前記基準マークに基づいて前記自由描画領域を特定することを特徴とする請求項１に記載の画像処理システム。
【請求項３】
前記印刷制御手段は、前記写真画像と前記領域表記とを互いに隣り合わせて前記印刷部に印刷させることを特徴とする請求項１又は２に記載の画像処理システム。
【請求項４】
リムーバブルメモリに格納された写真画像データに応じた写真画像と、自由描画領域を示す領域表記と、前記自由描画領域に配置された文字又は画像と、を１ページの用紙に印刷部に印刷させる印刷制御段階と、
前記自由描画領域に手書き文字又は前記自由描画領域に配置された文字並びに画像からなる対象物が記録された用紙を撮像部に読み取らせる読み取り制御段階と、
前記撮像部に読み取られた前記自由描画領域から、対象物の領域を抽出する領域抽出段階と、
前記写真画像データに応じた写真画像と、前記領域抽出段階により抽出された対象物と、を合成する合成段階と、
を含むことを特徴とする画像処理方法。
【請求項５】
前記印刷制御段階は、さらに基準マークを１ページの用紙に印刷部に印刷させ、
前記読み取り制御段階は、前記基準マークに基づいて前記自由描画領域を認識することを特徴とする請求項１に記載の画像処理方法。
【請求項６】
前記印刷制御段階は、前記写真画像と前記領域表記とを互いに隣り合わせて前記印刷部に印刷させることを特徴とする請求項１又は２に記載の画像処理方法。
【手続補正２】
【補正対象書類名】明細書
【補正対象項目名】０００６
【補正方法】変更
【補正の内容】
【０００６】
（１）上記目的を達成するための画像処理システムは、リムーバブルメモリに格納された写真画像データと、前記写真画像データに応じた写真画像と、自由描画領域を示す領域表記と、前記自由描画領域に配置された文字又は画像と、を１ページの用紙に印刷部に印刷させる印刷制御手段と、前記自由描画領域にユーザにより記録された手書き文字又は前記自由描画領域に配置された文字並びに画像からなる対象物が記録された用紙を撮像部に読み取らせる読み取り制御手段と、前記撮像部に読み取られた前記自由描画領域から、対象物の領域を抽出する領域抽出手段と、前記写真画像データに応じた写真画像と、前記領域抽出手段により抽出された対象物と、を合成する合成手段、を合成する合成手段と、を備える。本発明によると、領域表記を印刷させることにより、手書き文字等の対象物を記録すべき領域であり読み取り時にその領域を特定可能な領域である自由描画領域を、ユーザに認識させることができる。本発明によると、スキャン要求に応じて、自由描画領域の画像が読み取られ、自由描画領域の画像と他の画像とが合成される。すなわち本発明によると、予め決められた自由描画領域にユーザに手書き文字等の対象物を記録させることにより、その自由描画領域に記録された手書き文字等の対象物の画像と他の画像とを合成表示することを可能とする。
【手続補正３】
【補正対象書類名】明細書
【補正対象項目名】０００７
【補正方法】変更
【補正の内容】
【０００７】
（２）前記印刷制御手段は、前記印刷部に前記用紙に基準マークを印刷させてもよい。前記読み取り制御手段は、前記基準マークに基づいて前記自由描画領域を認識してもよい。本発明によると、用紙に印刷された基準マークに基づいて自由描画領域の位置が相対的に認識されるため、自由描画領域に記録された画像と他の画像とを正確に合成することができる。
【手続補正４】
【補正対象書類名】明細書
【補正対象項目名】０００８
【補正方法】変更
【補正の内容】
【０００８】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。また、本発明は装置の発明として特定できるだけでなく、プログラムの発明としても、そのプログラムを記録した記録媒体の発明としても特定することができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正書】
【提出日】平成20年9月10日(2008.9.10)
【手続補正１】
【補正対象書類名】特許請求の範囲
【補正対象項目名】全文
【補正方法】変更
【補正の内容】
【特許請求の範囲】
【請求項１】
投影手段から任意曲率の投射面に映像を投射するにあたって、平面の表示面に対する入力映像信号に予め前記投射面に対する歪み補正を施して前記投影手段へ与える映像信号処理装置であって、
複数種類に亘る規定の投射面形状に関する変数パラメータを入力することで前記投射面のメッシュモデルを作成するモデル作成手段と、
観察者および投影手段の前記投射面に対する位置関係に基づいて、前記平面の表示面と投射面のメッシュモデルとの対応マップを作成し、平面の入力映像を前記対応マップを利用したテクスチャマッピング座標を適用して再度映像生成を行うことで、前記歪み補正を実現する歪補正手段とを含むことを特徴とする映像信号処理装置。
【請求項２】
前記モデル作成手段は、複数種類に亘る規定の投射面形状に関する関数式を予め有し、前記規定の投射面形状のいずれかまたはその組合わせを選択し、変数パラメータを入力することで前記関数式に基づいて投射面のメッシュモデルを作成すること
を特徴とする請求項１に記載の映像信号処理装置。
【請求項３】
前記規定の投射面形状は、球面の一部、円筒面の一部、または複数平面の組合わせのいずれかであることを特徴とする請求項１または２記載の映像信号処理装置。
【請求項４】
観察者に凹面を向けた球面状で鏡面反射可能な広視野角のスクリーンと、
左右各チャネルにそれぞれ設けられ、前記左右各チャネルの圧縮動画映像ファイルをそれぞれ順次デコードして、動画の映像信号に変換するデコード手段を少なくとも有する映像作成手段と、
前記各映像作成手段を制御し、前記左右各チャネルの映像信号間の同期を確立する同期手段と、
前記左右各チャネルの映像信号に逐次前記スクリーンに対する歪み補正を施してゆく前記請求項１ないし３のいずれかに記載の映像信号処理装置と、
前記各映像信号処理装置からの映像信号を相互に直交する偏光の映像としてそれぞれスクリーンへ投影する投影手段と、
前記観察者が装着し、左右各眼にそれぞれ対応した偏光の映像を透過させて観察者に合成して認識させることで立体動画映像を表示する映像選択手段とを含むことを特徴とする仮想現実感生成装置。
【請求項５】
前記同期手段は、時間管理ループプロセスおよび同期管理プロセスを実行する同期管理部を有し、
前記各映像作成手段は、前記投影手段への出力用とデコードした映像信号の書込み用とに順次切換えて使用可能な２つのフレームメモリを有し、
前記デコード手段は、同期管理プロセスを実行する同期管理部、ムービーファイル解凍プロセスを実行する解凍部および映像表示プロセスを実行する再生表示部を有し、前記左右各チャネルの映像信号を順次デコードして前記動画の映像信号に変換し、前記同期手段の時間管理ループプロセスおよび同期管理プロセスにて制御されて前記左右各チャネルの映像信号間の同期を確立することを特徴とする請求項４記載の仮想現実感生成装置。
【請求項６】
前記請求項５における同期手段を構成するコンピュータに、現在時刻を取得する前記同期管理プロセスと、規定時間が経過した場合、各デコード手段に向けて現在時刻を配信する前記時間管理ループプロセスとを実行させ、
前記請求項５における映像作成手段を構成するコンピュータに、前記現在時刻を受信し、受信したことを表すレシートを同期手段に返信するとともにリファレンス時刻を更新し、前記ムービーファイル解凍プロセスへそのリファレンス時刻を配信する前記映像表示プロセスと、前記リファレンス時刻を取得し、現在取得しているフレームの表示されるべき時刻と比較し、その結果、遅延が２フレーム以内ならばフレームデータを更新し、フレームバッファ内のアドレスを映像表示プロセスへ通知するとともに、フレームデータを更新したことを映像表示プロセスへ通知する前記ムービーファイル解凍プロセスと、フレーム
データ更新通知を受けると、すでに通知済のフレームバッファ内のアドレスよりフレームデータを映像信号として取得し、ムービーファイル解凍プロセスへフレームデータ更新完了を通知し、映像信号を映像作成手段内に設けられている２つのフレームメモリの内、出力側に選択されていない方に描画する前記映像表示プロセスと、フレームデータ更新完了通知を受取ると、新たなフレームデータを取得する前記ムービーファイル解凍プロセスとを実行させ、
さらに前記請求項５における同期手段を構成するコンピュータに、前記レシートを受取ると、スワップ同期メッセージを映像表示プロセスへ送信する前記同期管理プロセスを実行させ、
前記請求項５における映像作成手段を構成するコンピュータに、前記スワップ同期メッセージに応答して前記２つのフレームメモリのスワップを実行し、前記同期手段の同期管理プロセスへレシートを返信し、再び現在時刻の受信を待受ける映像表示プロセスを実行させるためのプログラムを記録したコンピュータ読取り可能な記録媒体。
【手続補正２】
【補正対象書類名】明細書
【補正対象項目名】０００７
【補正方法】変更
【補正の内容】
【０００７】
本発明の第１の手段に係る映像信号処理装置は、投影手段から任意曲率の投射面に映像を投射するにあたって、平面の表示面に対する入力映像信号に予め前記投射面に対する歪み補正を施して前記投影手段へ与える映像信号処理装置であって、複数種類に亘る規定の投射面形状に関する変数パラメータを入力することで前記投射面のメッシュモデルを作成するモデル作成手段と、観察者および投影手段の前記投射面に対する位置関係に基づいて、前記平面の表示面と投射面のメッシュモデルとの対応マップを作成し、平面の入力映像を前記対応マップを利用したテクスチャマッピング座標を適用して再度映像生成を行うことで、前記歪み補正を実現する歪補正手段とを含むことを特徴とする。そして、好ましくは、前記モデル作成手段は、複数種類に亘る規定の投射面形状に関する関数式を予め有し、前記規定の投射面形状のいずれかまたはその組合わせを選択し、変数パラメータを入力することで前記関数式に基づいて投射面のメッシュモデルを作成する。
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
ダイアログのメッセージを処理するためのネットワークのノードにおける方法であって、
ソースノードから宛先ノードに送られる前記ダイアログの第１のリクエストを受け取るステップであって、前記第１のリクエストは、ダイアログ識別子と、前記宛先ノードから前記ソースノードへのリクエストが前記ノードに到着したのちに進む、ノードのパスを示す第１の経路情報とを含むステップと、
前記第１のリクエストから前記第１の経路情報を取り除くステップと、
前記第１のリクエストの第１の経路情報への前記ダイアログのマッピングを記憶するステップと、
前記ノードの第２の経路情報を前記第１のリクエストに付加するステップと、
前記宛先ノードへの第２の経路情報であって、前記第１の経路情報ではない第２の経路情報を有する第１のリクエストを転送するステップと、
前記ソースノードに送られた前記ダイアログの第２のリクエストを受け取るステップであって、前記第２のリクエストは前記ダイアログ識別子を含んでいる、受け取るステップと、
前記第２のリクエストのダイアログ識別子を使用して前記マッピングから第１の経路情報を取り出すステップと、
前記第１の経路情報を前記第２のリクエストに付加するステップと、
前記第１の経路情報を有する第２のリクエストを、前記ソースノードに転送するステップと
を含むことを特徴とする方法。
【請求項２】
前記マッピングを提供するステップは、前記ノードで前記リクエストが受け取られた後に実行されることを特徴とする請求項１に記載の方法。
【請求項３】
同じドメインからのソースノードは、同じ経路情報を有し、前記マッピングは、前記ソースノードの前記ドメインを、前記経路情報にマップすることを特徴とする請求項１に記載の方法。
【請求項４】
前記ノードは、ドメインのアクセスポイントノードであることを特徴とする請求項３に記載の方法。
【請求項５】
前記メッセージは、ＳＩＰ（Ｓｅｓｓｉｏｎ  Ｉｎｉｔｉａｔｉｏｎ  Ｐｒｏｔｏｃｏｌ）に準拠し、前記経路情報は、Ｒｅｃｏｒｄ−ＲｏｕｔｅｒおよびＣｏｎｔａｃｔヘッダから導出されることを特徴とする請求項１に記載の方法。
【請求項６】
前記第２のリクエストを転送するステップは、前記経路情報によって示される第１のノードにリクエストを送るステップを含むことを特徴とする請求項５に記載の方法。
【請求項７】
前記経路情報は、前記リクエストが前記ソースノードから前記ノードに移動する前記ノードのパスを示すことを特徴とする請求項１に記載の方法。
【請求項８】
前記リクエストは、ＳＩＰに準拠し、前記ノードは、登録サーバであり、提供された前記マッピングは、登録マッピングであることを特徴とする請求項１に記載の方法。
【請求項９】
前記宛先ノードは、プレゼンスサーバであることを特徴とする請求項８に記載の方法。
【請求項１０】
ソースノードから宛先ノードへのダイアログの第１のリクエストを受け取るステップであって、前記第１のリクエストは、第１の経路情報を有するステップと、
前記ソースノードから前記第１の経路情報へのマッピングを生成するステップと、
前記ノードを示す第２の経路情報を有し、前記第１の経路情報を有していない前記第１のリクエストを転送するステップと、
前記ソースノードに送られた前記ダイアログの第２のリクエストを受け取るステップと、
前記マッピングから、前記第２のリクエストにおいて示される前記ダイアログについての前記第１の経路情報を取り出すステップと、
前記第１の経路情報を、前記第２のリクエストに追加するステップと、
前記第２のリクエストを、前記第１の経路情報によって示される前記ノードに転送するステップと
を含む方法により、ＳＩＰを使用してメッセージを処理するためにネットワークのノードを制御するための命令を含むことを特徴とするコンピュータ可読媒体。
【請求項１１】
前記リクエストが前記ノードで受け取られた後に、前記マッピングを生成するステップが実行されることを特徴とする請求項１０に記載のコンピュータ可読媒体。
【請求項１２】
同じドメインにおけるソースノードは、同じ経路情報を有し、前記マッピングは、前記ソースノードの前記ドメインを前記経路情報にマップすることを特徴とする請求項１０に記載のコンピュータ可読媒体。
【請求項１３】
前記ノードは、登録サーバであり、生成された前記マッピングは、登録マッピングであることを特徴とする請求項１０に記載のコンピュータ可読媒体。
【請求項１４】
前記ソースノードが前記ノードに登録された場合、前記マッピングが生成されることを特徴とする請求項１３に記載のコンピュータ可読媒体。
【請求項１５】
前記宛先ノードは、プレゼンスサーバであることを特徴とする請求項１４に記載のコンピュータ可読媒体。
【請求項１６】
前記第２のリクエストが、前記プレゼンスサーバと同じドメイン内の登録サーバから受け取られた場合、前記ノードは、マッピングを生成しないことを特徴とする請求項１５に記載のコンピュータ可読媒体。
【請求項１７】
メッセージを処理するための、ネットワークの宛先ノードにおける方法であって、
ユーザを有するソースノードから前記宛先ノードへの第１のリクエストを、登録ノードから受け取るステップであって、前記第１のリクエストは第１の経路情報を含み、前記ノードはユーザであるステップと、
前記宛先ノードと前記登録ノードが、同じドメイン内にある場合、ユーザから登録ノードへのマッピングから、前記ユーザの前記登録ノードの指示を取り出すステップと、
前記マッピングによって示される前記登録ノードに、前記ソースノードへのリクエストを転送するステップであって、当該転送により前記第２のリクエストが前記第１の経路情報に従ってソースノードに転送可能とするステップと
を含むことを特徴とする方法。
【請求項１８】
前記宛先ノードは、プレゼンスサーバであることを特徴とする請求項１７に記載の方法。
【請求項１９】
前記メッセージは、ＳＩＰに準拠することを特徴とする請求項１７に記載の方法。
【請求項２０】
前記登録ノードは、登録されたユーザについての経路情報を維持することを特徴とする請求項１７に記載の方法。
【手続補正書】
【提出日】平成20年9月3日(2008.9.3)
【手続補正１】
【補正対象書類名】特許請求の範囲
【補正対象項目名】全文
【補正方法】変更
【補正の内容】
【特許請求の範囲】
【請求項１】
アクセスポイントを備える無線通信システム内でマルチユーザ／マルチサービスを処理する方法であって、
アクセスポイントによってマルチユーザ／マルチサービスのデータパケットを集合させ、マルチユーザ／マルチサービスのデータパケットをアクセスポイント内でコンテナ内にカプセル化するステップと、
アクセスポイントによってコンテナ内のカプセル化されたデータを符号化し変調するステップと、
アクセスポイントによってコンテナ内の符号化され変調されたデータを物理リソースにマッピングし、コンテナ内の符号化され変調されたデータをトラフィックチャネルを介して放出するステップとを含むことを特徴とする方法。
【請求項２】
コンテナが、
複数のユーザの識別子情報を運ぶためのコンテナヘッダと、
複数のユーザのデータパケットを運ぶためのコンテナ本体とを備えることを特徴とする請求項１に記載のマルチユーザ／マルチサービスを処理する方法。
【請求項３】
同一のまたは同様のチャネル条件を有する複数のユーザのデータパケットが、アクセスポイント内で同一のコンテナ内にカプセル化されることを特徴とする請求項１に記載のマルチユーザ／マルチサービスを処理する方法。
【請求項４】
アクセスポイントによって、使用される符号化および変調方式、コンテナ内に含まれるユーザの数、およびコンテナ内の符号化され変調されたデータと物理リソースの間のマッピング関係を制御チャネルを介してブロードキャストするステップをさらに含むことを特徴とする請求項１に記載のマルチユーザ／マルチサービスを処理する方法。
【請求項５】
無線通信システムが直交周波数分割多重無線通信システムであることを特徴とする請求項１から４のいずれか一項に記載のマルチユーザ／マルチサービスを処理する方法。
【請求項６】
複数の移動端末を備える無線通信システムでマルチユーザ／マルチサービスを処理する方法であって、
複数の移動端末によって、コンテナ内に集合されたマルチユーザ／マルチサービスのデータの符号化および変調方式、コンテナ内に含まれるユーザの数、ならびにコンテナ内の符号化され変調されたデータと物理リソースの間のマッピング関係を制御チャネルを介して受信するステップと、
上記ステップで取得された情報に従って、複数の移動端末によって、複数のユーザの識別子情報を運ぶコンテナヘッダと、複数のユーザのデータパケットを運ぶコンテナ本体とを備えるコンテナ内に集合されたマルチユーザ／マルチサービスのデータを、トラフィックチャネルを介して受信し、コンテナを回復し、コンテナヘッダ内のデータを復号するステップと、
複数の移動端末によって、コンテナがそれに属するデータパケットを含むか否かを判断するステップと、
コンテナがそれに属するデータパケットを含むことを検出する場合には、複数の移動端末によって、コンテナのコンテナ本体内のデータを復号するステップとを含むことを特徴とする方法。
【請求項７】
無線通信システムが直交周波数分割多重無線通信システムであることを特徴とする請求項６に記載のマルチユーザ／マルチサービスを処理する方法。
【請求項８】
マルチユーザ／マルチサービスのデータパケットを運ぶためのコンテナを備える、マルチユーザ／マルチサービスのデータパケットを集合させるための集合手段と、
コンテナで運ばれるデータを符号化し変調するための符号化および変調手段と、
コンテナ内の符号化され変調されたデータを物理リソースにマッピングするためのマッピング手段とを備えるアクセスポイント。
【請求項９】
コンテナが、
複数のユーザの識別子情報を運ぶためのコンテナヘッダと、
複数のユーザのデータパケットを運ぶためのコンテナ本体とからなることを特徴とする請求項８に記載のアクセスポイント。
【請求項１０】
使用される符号化および変調方式、コンテナ内に含まれるユーザの数、及び符号化され変調されたデータと物理リソースの間のマッピング関係を制御チャネルを介して受信し、複数のユーザの識別子情報を運ぶコンテナヘッダと、複数のユーザのデータパケットを運ぶコンテナ本体とを備えるコンテナ内に集合されたマルチユーザ／マルチサービスのデータをトラフィックチャネルを介して受信するための受信手段と、
受信手段によって制御チャネルを介して受信された情報、および受信手段によってトラフィックチャネルを介して受信されたコンテナ内に集合されたマルチユーザ／マルチサービスのデータに従って、コンテナを回復し、コンテナのコンテナヘッダ内のデータを復号するための回復および第１復号手段と、
回復および第１復号手段によって取得されたコンテナヘッダ内のデータの復号化結果に従って、コンテナがそれに属するデータパケットを含むか否かを判断するための判断手段と、
コンテナがそれに属するデータパケットを含むと判断する場合には、コンテナ本体内のデータを復号して、それによってそれに属するデータパケットを取得するための第２の復号手段とを備える移動端末。